(57)【要約】【課題】異なる種類の鉛筆に対応した鉛筆削りができ、かつ利便性や携帯性にも優れた鉛筆削り器を提供する。【解決手段】鉛筆が収納・保持される鉛筆ホルダー６を収納するホルダー保持部１の上端部に、削り屑収納部２が一体となった第１鉛筆削りユニット３を配し、かつホルダー保持部１の下端部には、第１鉛筆削りユニット３と同様に削り屑収納部４が一体となった構造の第２鉛筆削りユニット５を配す。第１鉛筆削りユニット３と第２鉛筆削りユニット５との各端部３ａ，５ａをホルダー保持部１の上下端部に対して、それぞれ着脱自在に嵌着する。【選択図】図１
2015221552.tif 000002
【特許請求の範囲】
【請求項１】
鉛筆が収納・保持される鉛筆ホルダーと、
鉛筆削り器部、及び削り屑収納部が一体となった第１鉛筆削りユニットと、
前記第１鉛筆削りユニットの前記鉛筆削り器により削ることができる鉛筆の芯径とは異なる芯径の鉛筆の芯削りに対応した鉛筆削り器部、及び削り屑収納部が一体となった第２鉛筆削りユニットとを備え、
前記鉛筆ホルダーと前記第１鉛筆削りユニットと前記第２鉛筆削りユニットとの外形を略筒状に形成し、
前記鉛筆ホルダーの一端側に前記第１鉛筆削りユニットを着脱可能に設け、他端側に前記第２鉛筆削りユニットを着脱可能に設けたことを特徴とする鉛筆削り器。
【請求項２】
前記鉛筆ホルダーに対して前記第１鉛筆削りユニットと前記第２鉛筆削りユニットとが、磁石の磁力により着脱可能に設けられていることを特徴とする請求項１に記載の鉛筆削り器。
【請求項３】
前記鉛筆ホルダーに対して前記第１鉛筆削りユニットと前記第２鉛筆削りユニットとが、ネジ構造により着脱可能に設けられていることを特徴とする請求項１に記載の鉛筆削り器。
【請求項４】
前記鉛筆ホルダー部分と前記第１鉛筆削りユニットと前記第２鉛筆削りユニットとのいずれかの一側部に引掛け部材を設けたことを特徴とする請求項１に記載の鉛筆削り器。
【請求項５】
前記引掛け部材の一部に滑り止め部材を固定したことを特徴とする請求項４に記載の鉛筆削り器。
【請求項６】
前記鉛筆ホルダーが軸方向に伸び縮み可能な構造であることを特徴とする請求項１〜４いずれか１項に記載の鉛筆削り器。
【発明の詳細な説明】
【技術分野】
【０００１】  本発明は、利便性を考慮し、異なる種類の鉛筆に対応した鉛筆削りができる鉛筆削り器の構造に関するものである。【０００２】  従来の鉛筆削り器は、通常、鉛筆削り器単体で使用され、鉛筆入れの一部に収納されたり、そのまま持ち運びされたりする。また鉛筆は、鉛筆サック，鉛筆入れ，鉛筆ホルダーを利用して使用されることが多い。【０００３】  このため、使用者は鉛筆サック、鉛筆入れ、鉛筆ホルダーなどを鉛筆削り器とは別に用意して、必要に応じてそれら複数の物を持ち運んでおり、このことは煩雑で利便性に欠けるといえる。【０００４】  上記の課題に対応するため、特許文献１に記載されている鉛筆削り器付きの鉛筆サックや、特許文献２に記載されている鉛筆削り器付きの筆入れなど、鉛筆削り器と関連商品との結合商品のアイデアが多く提案されてきている。【０００５】  また、鉛筆には各種のものがあり、例えば、事務作業や学習などにおける筆記に使用される一般的な寸法／仕様の筆記用鉛筆、あるいは画家などに使用されるデッサン用鉛筆などがある。これらの鉛筆は、通常、芯の径が異なる。【０００６】  従来の鉛筆削り器は、一般的に用いられる筆記用鉛筆の芯径に対応したサイズの削り歯構造である。また、特殊なデッサン用鉛筆ではナイフを用いて鉛筆を削ることによって芯出しを行っていた。
【先行技術文献】
【特許文献】
【０００７】
【特許文献１】実開昭６３−９３１９３号公報
【特許文献２】実開平５−４６３１０号公報
【特許文献３】実開平３−１１４３９４号公報
【発明の概要】
【発明が解決しようとする課題】
【０００８】  従来、上記のように鉛筆削り器では関連商品との結合についての多くアイデアが提案されてきているが、鉛筆の芯径の差異についての考慮がなされていない。【０００９】  特許文献２に記載の筆入れは、鉛筆の削り角度を変えることができように、少なくとも２つの鉛筆削り器を組み付ける構造になっている。また、特許文献３に記載の鉛筆削り器は、２種の切削刃を鉛筆挿入孔の前後に設けて、使用者の好みに合った芯の外径サイズにするものである。【００１０】  しかしながら、上記特許文献に記載の鉛筆削り器を含めて、従来の鉛筆削り器では、鉛筆の芯径に合致した芯削りについて考慮された構造になっていない。上述したように、一般的に市販されている筆記用鉛筆の芯径とデッサン用鉛筆の芯径とでは、デッサン用鉛筆の芯径の方が太く、両芯径サイズに対応できる鉛筆削り器はなかった。【００１１】  そこで本発明は、前記従来の課題を解決し、異なる種類の鉛筆に対応した鉛筆削りができ、かつ利便性や携帯性にも優れた鉛筆削り器を提供することを目的とする。
【課題を解決するための手段】
【００１２】  本発明の鉛筆削り器は、請求項１に記載のように、鉛筆が収納・保持される鉛筆ホルダーと、鉛筆削り器部、及び削り屑収納部が一体となった第１鉛筆削りユニットと、前記第１鉛筆削りユニットの前記鉛筆削り器により削ることができる鉛筆の芯径とは異なる芯径の鉛筆の芯削りに対応した鉛筆削り器部、及び削り屑収納部が一体となった第２鉛筆削りユニットとを備え、前記鉛筆ホルダーと前記第１鉛筆削りユニットと前記第２鉛筆削りユニットとの外形を略筒状に形成し、前記鉛筆ホルダーの一端側に前記第１鉛筆削りユニットを着脱可能に設け、他端側に前記第２鉛筆削りユニットを着脱可能に設けたことを特徴とする。【００１３】  また請求項２に記載の発明は、請求項１に記載の鉛筆削り器において、鉛筆ホルダーに対して第１鉛筆削りユニットと第２鉛筆削りユニットとが、磁石の磁力により着脱可能に設けられていることを特徴とする。【００１４】  また請求項３に記載の発明は、請求項１に記載の鉛筆削り器において、鉛筆ホルダーに対して第１鉛筆削りユニットと第２鉛筆削りユニットとが、ネジ構造により着脱可能に設けられていることを特徴とする。【００１５】  また請求項４に記載の発明は、請求項１に記載の鉛筆削り器において、鉛筆ホルダー部分と第１鉛筆削りユニットと第２鉛筆削りユニットとのいずれかの一側部に引掛け部材を設けたことを特徴とする。【００１６】  また請求項５に記載の発明は、請求項４に記載の鉛筆削り器において、引掛け部材の一部に滑り止め部材を固定したことを特徴とする。【００１７】  また請求項６に記載の発明は、請求項１〜４いずれか１項に記載の鉛筆削り器において、鉛筆ホルダーが軸方向に伸び縮み可能な構造であることを特徴とする。
【発明の効果】
【００１８】  本発明の鉛筆削り器によれば、異なる芯径に対応して鉛筆削り（芯出し）ができる２つの鉛筆削りユニットを鉛筆ホルダー部分に対して着脱可能に設け、しかも鉛筆削りユニットには削り屑収納部を備えていることにより、従来のように複数の鉛筆削り器、削り屑収納器、鉛筆ホルダーを個々に携帯して持ち運ぶよりも、利便性及び携帯性が飛躍的に向上する。【００１９】  また、２つの鉛筆削りユニットが着脱可能であるため、使用者は必要に応じて鉛筆削りユニットのいずれかを取り外して携帯して使用することも可能であるため、使用範囲も広がる。【００２０】  さらに、鉛筆ホルダー部分と第１鉛筆削りユニットと第２鉛筆削りユニットとのいずれかの一側部に引掛け部材を設けることにより、鉛筆削り器を使用者のポケットや書類の一部に係止させて持ち運ぶこともできる。
【図面の簡単な説明】
【００２１】
【図１】（ａ）〜（ｃ）は本発明の鉛筆削り器の一実施形態の一部を分解して示す断面図である。
【図２】（ａ），（ｂ）は図１に示す本発明の実施形態における第１鉛筆削りユニットと第２鉛筆削りユニットの断面図である。
【図３】本発明の実施形態における鉛筆削りユニット部分の蓋を解放して示す斜視図である。
【図４】（ａ）は本発明の実施形態の外観の一例を示す正面図、（ｂ）は同実施形態の側面図である。
【発明を実施するための形態】
【００２２】  以下、本発明の好適な実施形態を図面に基づいて説明する。
【００２３】  図１（ａ）において、鉛筆が収納・保持される後述する鉛筆ホルダーを収納するホルダー保持部１の上端部に、削り屑収納部２が一体となった第１鉛筆削りユニット３が配され、またホルダー保持部１の下端部には、第１鉛筆削りユニット３と同様に削り屑収納部４が一体となった構造の第２鉛筆削りユニット５が配されている。
【００２４】  ホルダー保持部１と第１鉛筆削りユニット３と第２鉛筆削りユニット５とは、外装がそれぞれ同一径のプラスチック製からなる筒状の軸体をしており、第１鉛筆削りユニット３と第２鉛筆削りユニット５との各端部３ａ，５ａがホルダー保持部１の上下端部に対してそれぞれ着脱自在に嵌着されている。鉛筆ホルダー１と両鉛筆削りユニット３，５とを着脱可能にする構造としては、磁石の吸着作用を利用する構造や、ネジ構造を採用することも可能である。
【００２５】  鉛筆ホルダー６は、図１（ｂ），（ｃ）に示すように、中央周部にメネジ部７ａが形成された筒状のホルダーケース７と、ホルダーケース７に挿入されてメネジ部７ａに対して上下動可能に螺合するオネジ部８ａが形成されている筒状のホルダー本体８とからなる。このホルダー本体８内に鉛筆が挿入される。
【００２６】  鉛筆ホルダー６全体は、ホルダーケース７のメネジ部７ａをホルダー本体８のオネジ部８ａに対して左右いずれかに相対的にネジ込み回動することによって軸方向に伸び縮みするような構造になっている。
【００２７】  鉛筆ホルダー６は、ホルダー本体８がホルダーケース７に螺合・装着された状態（鉛筆を挿入しておいてもよい）で、ホルダー保持部１に収納されて保持される。ホルダー本体８の上端開口部には、ホルダー内に収納される鉛筆の上端部分をしっかりと弾性保持するように、すり割り９ａの形成された固定部９が設けられている。また、本例では、図１（ｃ）に示すように、ホルダー本体８の下端に消しゴム１０を設けている。
【００２８】  図２（ａ），（ｂ）に示すように、第１鉛筆削りユニット３と第２鉛筆削りユニット５とは筒状の軸体形状であり、各鉛筆削りユニット３，５共に、鉛筆削り器部３ｂ，５ｂと、削り屑収納部２，４とを備え、鉛筆削り器部３ｂ，５ｂにネジ１１で固定された削り刃３ｃ，５ｃは、構造が鉛筆の太い芯径（軸径が太い鉛筆）と細い芯径（軸径が細い鉛筆）とに合致するように構成されている。
【００２９】  本例では、図２（ａ）に示す第１鉛筆削りユニット３が細い芯径を削るのに適した構造になっており、図２（ｂ）に示す第２鉛筆削りユニット５が太い芯径を削るのに適した構造になっている。
【００３０】  第１鉛筆削りユニット３と第２鉛筆削りユニット５とホルダー保持部１の一側はそれぞれ開口されており、図３に一部を示すように、各開口側部には回動可能なプラスチック製の覆い蓋１２が設けられて開閉可能になっている。覆い蓋１２は、削り屑収納部２から削り屑を捨てたり、ホルダー保持部１から鉛筆ホルダー６を取り出したりするときに外方へ回動させて、第１鉛筆削りユニット３、第２鉛筆削りユニット５、ホルダー保持部１の任意の開口側部を開放する。
【００３１】  図４（ａ），（ｂ）に示すように、第１鉛筆削りユニット３の側部には「状のプラスチック製の引掛け部材１３を設け、さらに引掛け部材１３の内側面に凹凸部１３を突設して、この凹凸部１３ａ部分にスポンジやシリコンゴムなどからなる滑り止め部材１４を固定している。この引掛け部材１３を用いて、使用者のポケットや書類の一部に挟むようにして係止させることにより、鉛筆削り器全体を簡単に落下しないように、容易に持ち運ぶことができる。
【００３２】  引掛け部材１３は、ホルダー保持部１と第１鉛筆削りユニット３と第２鉛筆削りユニット５とのいずれかの一側部に設ければよく、図４の構成例に限定されない。図４の例では第１鉛筆削りユニット３にのみに引掛け部材１３を設けている。
【００３３】  また、前記実施形態における各部材の形状あるいは設置数などは、実施に際して前記説明したものに限定されず、鉛筆削り器の使用形態／仕様などにより適宜選択して決定する必要がある。
【産業上の利用可能性】
【００３４】  本発明は、本発明は、一般的な鉛筆及び各種の鉛筆、デッサン用などの特殊な鉛筆にも実施することができる。
【符号の説明】
【００３５】１  ホルダー保持部
２，４  削り屑収納部
３  第１鉛筆削りユニット
５  第２鉛筆削りユニット
３ｂ，５ｂ  鉛筆削り器部
３ｃ，５ｃ  削り刃
６  鉛筆ホルダー
７  ホルダーケース
７ａ  メネジ部
８  ホルダー本体
８ａ  オネジ部
９  固定部
９ａ  すり割り
１１  ネジ
１２  覆い蓋
１３  引掛け部材
１４  滑り止め部材
【図１】
2015221552.tif 000003
【図２】
2015221552.tif 000004
【図３】
2015221552.tif 000005
【図４】
2015221552.tif 000006